(57)【要約】【課題】スピーカ部よりでる振動が筐体に伝わるのを防ぐために、弾性部材でスピーカ部と筐体を固定する。【解決手段】スピーカ３０の取り付け部分３２の孔３３と筐体の取り付け片４３の孔４４に、ゴム部材２０の円錐状の係止部分２２をそれぞれ挿入する。２つの係止部材２２の間にある球状部分２１が、スピーカの振動を吸収し、筐体に伝わるのを防ぐ。【選択図】      図５
2008258757.tif 000002
【特許請求の範囲】
【請求項１】
映像を表示するディスプレイと、
音声を出力するスピーカと、
アンテナで受信されるテレビ放送信号から選択されているチャンネルのテレビ放送信号を抽出し出力するチューナと、
上記チューナが出力したテレビ放送信号に基づき、映像を上記ディスプレイに表示させ、音声を上記スピーカに出力させる映像音声処理部と、
上記ディスプレイの表示領域を露出させるディスプレイ開口部とスピーカ用の開口部を有する前面キャビネットと、
を備えるパネル型テレビジョンであって、
上記スピーカは、フランジ状の取り付け部を有し、該取り付け部の両端に貫通した孔をそれぞれ２箇所ずつ有し、
上記前面キャビネットは、上記スピーカ用の開口部の両端の外側に、スピーカの中心部からスピーカの取り付け片の端までの距離とスピーカの開口部の中心部から同じ距離離れた位置から、突出して所定距離だけ延出した後、開口部方向に屈曲した棚部を有しており、
上記棚部はスピーカの取り付け部の孔と向き合う位置に貫通する孔を有しており、
上記取り付け片の孔とスピーカの孔に挿入され係止させる係止部分を備えたゴム部材を備えており、
上記ゴム部材は、係止部分の間に球状の部分を備えており、
上記ゴム部材は、係止部分が、孔に挿入される先端が小径の円錐状の形状となっており、
上記ゴム部材は、係止部分と球状部分の間の連結部分が、スピーカの取り付け部分もしくは取り付け片の孔の厚さとほぼ同じ程度であり、
上記スピーカ取り付け部とキャビネットの棚部に挟まれた球状の部分が、振動を転がることで吸収することを特徴とするパネル型テレビジョン。
【請求項２】
フランジ状の取り付け部分を有するスピーカと、
上記スピーカを収容しつつ同スピーカを外部に露出させる開口部を有する筐体と、
を有している、スピーカ部の取付構造であって、
上記筐体は開口部から所定の位置に取り付け片を有しており、取り付け片の端に貫通する孔を有しており、
上記スピーカの取り付け部分には貫通する孔を有しており、
上記取り付け片の孔とスピーカの孔に挿入され係止させる係止部分を備えた弾性部材を備えており、
上記弾性部材は、２つの係止部分の間に球状部分を備えていることを特徴とするスピーカ部の取付構造。
【請求項３】
上記弾性部材は、係止部分が、上記孔に挿入される先端が小径の円錐状の形状となっていることを特徴とする請求項２に記載のスピーカ部の取付構造。
【請求項４】
上記弾性部材は、係止部分と球状部分の間の連結部分が、スピーカの取り付け部分もしくは取り付け片の孔の厚さよりやや短い長さであることを特徴とする請求項２または請求項３に記載のスピーカ部の取付構造。
【請求項５】
上記取り付け片は、上記筐体内側面における上記スピーカ開口部の縁部であって、上記に、スピーカの中心部からスピーカの取り付け片の端までの距離と上記スピーカ開口部の中心部から同じ距離離れた位置から、上記筐体内側方向に向かって突出して所定距離だけ延出した後、開口部方向に屈曲した棚部となっていることを特徴とする請求項２〜請求項４のいずれかに記載の取付構造。
【請求項６】
上記弾性部材は、ゴムでできていることを特徴とする請求項２〜請求項５のいずれかに記載のスピーカ部の取付構造。
【発明の詳細な説明】
【技術分野】
【０００１】
この発明は、パネル型テレビジョン及びスピーカ部の取付構造に関する。
【背景技術】
【０００２】
従来、スピーカを筐体に取り付けるにあたり、スピーカの振動によるびびりを防ぐ技術として次のようなものが知られている。
例えば、特許文献１では、車載用スピーカ装置において、スピーカユニットのフレームとドアインナーパネルの間を弾性部材とネジからなるインシュレータで止める構造が開示されている。
また、特許文献２では、スペーサでスピーカユニットを固定しつつ、スペーサを利用することで、通気路を作り、それにより共振をコントロールする構成が開示されている。
また、特許文献３では、カバーフレーム一体型スピーカの上下端部に、ゴム等でできた中空シリンダ状のボディとフランジを備えた振動減衰部材を固定させる振動減衰部材装着部を備えており、その中空部分にキャビネットとの固定するネジを挿入して固定する構成が開示されている。
【特許文献１】特開２００１−２５１６９６号公報
【特許文献２】特開平１１−１５５１８６号公報
【特許文献３】特開２０００−３２４５８４号公報
【発明の開示】
【発明が解決しようとする課題】
【０００３】
しかしながら、上述した特許文献１に記載の技術は、インシュレータにネジが含まれており、ネジ止めで固定をすると、ネジが筐体等とふれる際にびびり等が発生する可能性があるため、問題がある。
【０００４】
また、特許文献２に記載の技術は、共振の発生自体をコントロールしようとするもので、スピーカで発生した振動を吸収するものではない。
さらに、特許文献３に記載の技術は、従来からあるスピーカではなく、特殊な振動減衰部材用の振動減衰装着部が必要になり、従来のものを利用することができず、また部品の数が増加するためコスト高になる。
【０００５】
本発明は、上記課題に鑑みてなされたもので、びびりの発生を抑制するため、スピーカの振動を吸収する弾性部材であって、従来のスピーカを用いたパネル型テレビジョン及びスピーカ部の取付構造の提供を目的とする。
【課題を解決するための手段】
【０００６】
上記目的を達成するために、主たる発明のスピーカ部の取付構造は、フランジ状の取り付け部分を有するスピーカと、上記スピーカを収容しつつ同スピーカを外部に露出させる開口部を有する筐体と、を有しているスピーカ部の取付構造であって、上記筐体は開口部から所定の位置に取り付け片を有しており、取り付け片の端に貫通する孔を有しており、上記スピーカの取り付け部分には貫通する孔を有しており、上記取り付け片の孔とスピーカの孔に挿入され係止させる係止部分を備えた弾性部材を備えており、上記弾性部材は、２つの係止部分の間に球状部分を備えている構成としてある。
本発明の他の特徴については、本明細書及び添付図面の記載により明らかにする。
【発明を実施するための最良の形態】
【０００７】
本明細書及び添付図面の記載により、少なくとも、以下の事項が明らかとなる。
【０００８】
上記主たる発明の構成のうち、球状部分は、スピーカからの振動が発生した際に、弾性部材に対して縦方向の振動をした際には、弾性部材として振動を吸収し、横方向の振動をした際には、球状部分が転がることで、スピーカにある程度の自由度を与え、振動を滑らかにする。
上記主たる発明の構成によれば、様々な方向への振動をスムーズに吸収することができる。また、従来からあるスピーカのネジ止め用の貫通孔に係止部分を挿入することができるため、スピーカに特殊な構造がいらないので安価にできる。
【０００９】
上記弾性部材の係止手段の一例として、上記弾性部材は、係止部分が、上記孔に挿入される先端が小径の円錐状の形状となっている構成とすることができる。
このように構成では、先端部が取り付け片の孔及びスピーカの孔よりも小さいため、挿入が容易である。徐々に径が広がっていくが、孔に対して角度が斜めになるため、滑りやすく、孔の径より大きくても挿入することができる。一度挿入すると、孔よりも径の大きい部分が孔に対して垂直なため、係止部分を縮めようとする外力が加わらない限り、孔から抜けることはない。そのため、係止部分を円錐状の形状にすることで、挿入しやすく、抜けにくくすることができる。
【００１０】
上記弾性部材の一例として、係止部分と球状部分の間の連結部分が、スピーカの取り付け部分もしくは取り付け片の孔の厚さよりやや短い長さである構成とすることができる。
このように構成すると、連結部分が必要以上に長くないため、係止部分がスピーカもしくは取り付け片に密着することができる。また、球状部分の一部が孔に入り込むことになるため、球状部分の収まりがよくなる。例えば、外力がかかって、連結部分が孔の中心からずれても、球状部分が孔の全周に当接される。また、挿入時に必ずしも中心に入らない場合でも収まりがよい。
【００１１】
上記筐体の取り付け片の一例として、上記筐体内側面における上記スピーカ開口部の縁部であって、上記に、スピーカの中心部からスピーカの取り付け片の端までの距離と上記スピーカ開口部の中心部から同じ距離離れた位置から、上記筐体内側方向に向かって突出して所定距離だけ延出した後、開口部方向に屈曲した棚部となっている構成とすることができる。
このような構成にすると、スピーカと取り付け片の屈曲した部分が平行になり、また孔の位置をそろえやすくなる。スピーカと取り付け片の弾性部材と接する面が平行となると、スピーカが振動したときに、係止部分の接する面が平行になるため振動に対して上下から押さえ込みができるようになる。なお、ここでは開口部方向に屈曲することにしたが、孔の位置をそろえることができれば、逆側に屈曲するようにしてもよい。
【００１２】
上記弾性部材の一例として、ゴムでできている構成とすることができる。
このような構成によれば、ゴムという一般的な素材を使用することで、特殊な材料を使わないため、安価にすることができる。
【００１３】
また、更に具体的な構成として、本発明のパネル型テレビジョンでは、映像を表示するディスプレイと、音声を出力するスピーカと、アンテナで受信されるテレビ放送信号から選択されているチャンネルのテレビ放送信号を抽出し出力するチューナと、上記チューナが出力したテレビ放送信号に基づき、映像を上記ディスプレイに表示させ、音声を上記スピーカに出力させる映像音声処理部と、上記ディスプレイの表示領域を露出させるディスプレイ開口部とスピーカ用の開口部を有する前面キャビネットと、を備えるパネル型テレビジョンであって、上記スピーカは、フランジ状の取り付け部を有し、該取り付け部の両端に貫通した孔をそれぞれ２箇所ずつ有し、上記前面キャビネットは、上記スピーカ用の開口部の両端の外側に、スピーカの中心部からスピーカの取り付け片の端までの距離とスピーカの開口部の中心部から同じ距離離れた位置から、突出して所定距離だけ延出した後、開口部方向に屈曲した棚部を有しており、上記棚部はスピーカの取り付け部の孔と向き合う位置に貫通する孔を有しており、上記取り付け片の孔とスピーカの孔に挿入され係止させる係止部分を備えたゴム部材を備えており、上記ゴム部材は、係止部分の間に球状の部分を備えており、上記ゴム部材は、係止部分が、孔に挿入される先端が小径の円錐状の形状となっており、上記ゴム部材は、係止部分と球状部分の間の連結部分が、スピーカの取り付け部分もしくは取り付け片の孔の厚さとほぼ同じ程度であり、上記スピーカ取り付け部とキャビネットの棚部に挟まれた球状の部分が、振動を転がることで吸収する構成としてある。
更に具体的に構成された上記発明では、上述した各構成と同様の効果を奏することはいうまでもない。
【００１４】
以下、添付図面にもとづいて、本発明をテレビジョンにおいて具現化した実施例について説明する。
まず、本発明のパネル型テレビジョン装置の概略構成について説明する。
図１は、テレビジョン１００を斜め前方より見た斜視図である。同図において、テレビジョン１００は、キャビネット４０とディスプレイ１４とスピーカ３０と脚部５０とから構成されている。キャビネット４０は、ディスプレイ１４をその映像を表示する表示領域が前面側に露出されるように保持しつつ、同キャビネット内部に音声を出力するスピーカ３０が設置され、スピーカ用の開口部４５が設けられている。脚部５０は、ディスプレイ１４の表示面が略鉛直に配向するようにキャビネット４０を支持する。
【００１５】
図２は、本実施例におけるテレビジョン１００の概略構成を説明するブロック図である。なお、当該テレビジョン１００について、本願発明と直接関連しない構造については、詳細な説明、及び図示を省略する。
【００１６】
同図において、テレビジョン１００は、アンテナ１１aで受信されるテレビ放送信号から選択されているチャンネルのテレビ放送信号を抽出し出力するチューナ１１と、当該テレビ放送信号に基づき映像と音声を出力させる映像音声処理部１２と、音声を出力するスピーカ３０と、映像を表示するディスプレイ１４と、マイコン１５と、各部に電源を供給する電源回路１６とを備えている。
【００１７】
上記構成において、マイコン１５は、テレビジョン１００を構成する各部と電気的に接続しており、マイコン１５の内部構成部品としてのＣＰＵが、同じくマイコンの構成部品であるＲＯＭやＲＡＭなどに書き込まれた各プログラムに従って、テレビジョン１００を制御する。
【００１８】
次に、スピーカ部の取り付け構造について説明する。
図３は、スピーカ３０に取り付けるゴム部材２０の斜視図である。なお、ここでは、弾性部材の例として、ゴムを挙げるが、振動を抑える効果のある物質で、自立、固定ができる程度の硬度がある物質であれば、他のものでもよい。ゴムであっても、自立、固定ができない硬度のものは、この発明では利用しない。
【００１９】
ゴム部材２０は、略正球の球状部分２１と、その上下に係止部分２２と、係止部分２２と球状部分２１を連結する連結部分２３から構成されている。
係止部分２２は、先端部が取り付け片４３の孔４４及びスピーカの貫通する孔３３の径よりも径が細く、徐々に径が太くなり最終的には孔３３の径よりも径が太い円錐状の形状となっている。
【００２０】
このように構成すると、係止部分２２の先端部が取り付け片の孔４４及びスピーカの孔３３よりも小さいため、先端部の挿入が容易である。係止部分２２は徐々に径が太くなっていくが、孔３３、４４に対して角度が斜めになるため、滑らせやすく、孔３３、４４の径より大きくても挿入することができる。また、一度挿入すると、孔３３、４４よりも径の大きい部分が孔に対して垂直なため、係止部分２２を縮めようとする外力が加わらない限り、孔３３、４４から抜けることはない。そのため、係止部分２２を円錐状の形状にすることで、挿入しやすく、抜けにくくすることができる。
【００２１】
なお、係止部分２２の高さは取り付け片４３の高さより低い構成とするほうが望ましい。また、係止部分は球状部分２１の上下に存在するが、２つとも同じ大きさ、形とすると成型が簡便になり好ましい。
【００２２】
連結部分２３の長さは、スピーカの取り付け部分３２の孔３３もしくは取り付け片４３の孔４４の厚さよりやや短い長さである。このように構成すると、連結部分２３が必要以上に長くないため、係止部分２２がスピーカの取り付け部分３２もしくは取り付け片４３に密着することができる。また、球状部分２１の一部が孔３３、４４に入り込むことになるため、球状部分２１の収まりがよくなる。例えば、外力がかかって、連結部分２３が孔３３、４４の中心からずれても、球状部分２１が孔３３、４４の全周に当接される。なお、成型の簡便性のため、好ましくは２つの連結部分２３の長さが同じであることがよい。
【００２３】
図４は、スピーカの取り付け部分の斜視図である。
同図においてスピーカ３０は、スピーカの本体部分３１に、フランジ形状の取り付け部分３２を有している。取り付け部分３２の辺が長い方の両端に貫通する孔３３が左右の端それぞれ短いほうの辺に平行になる直線上に２箇所ずつ設けられている。
図５では、取り付け部分３２が平面となっているが、辺の長い方の両端はクランク形状でもよく、その場合にはクランク形状の部分に、貫通する孔が設けられていることが望ましい。
なお、このスピーカの形状はネジ止め用の貫通する孔があいている一般的なスピーカであればよく、実施例以外の形状であってもよい。
【００２４】
キャビネット４０は、前面キャビネット４１と後面キャビネット４２によって、構成されており、その内部にディスプレイ１４やスピーカ３０、基板（不図示）等が収容されている。
前面キャビネット４１はディスプレイ１４用の開口部の下であって、ディスプレイの左右の端部に近い位置にスピーカの開口部４５を設けている。スピーカの開口部４５は、孔があいている等、音声が外部に出力されるようになっていればよく、ディスプレイ用の開口部のように、完全に開口している必要はない。また、スピーカ３０が取り付けられると、スピーカの本体部分３１がスピーカ用の開口部４５の位置に収まることになる。
【００２５】
前面キャビネット４１の内側には、スピーカ用の開口部４５の縁部であって、スピーカ３０の中心部からスピーカの取り付け部分３２の端までの距離とスピーカ用の開口部４５の中心部から同じ距離離れた位置から、前面キャビネット４１の内側方向に向かって突出して所定距離だけ延出した後、スピーカ用の開口部４５の方向に屈曲した棚部となっている。つまり、取り付け片４３は、スピーカ３０の孔３３に当接する位置に設けられている。
【００２６】
このような構成にすると、スピーカの取り付け部分３２と取り付け片４３の屈曲した部分４３ａが平行になり、孔の位置をそろえやすくなる。また、取り付け部分３２と屈曲した部分４３のゴム部材２０と接する側が平行となると、スピーカ３０が振動したときに、係止部分２２の接する側が平行になるため振動に対して上下から押さえ込みができるようになる。なお、ここではスピーカ用の開口部４５方向に屈曲することにしたが、孔の位置をそろえることができれば、逆側に屈曲するようにしてもよい。
【００２７】
取り付け片４３の屈曲した部分には、スピーカ３０をセットした際にスピーカの孔３３と略同じ位置に貫通する孔４４がある。この貫通する孔４４は、スピーカの孔３３と同じ大きさにすると、ゴム部材２０の成型が簡便になるため好ましい。
【００２８】
次に、ゴム部材２０でスピーカ３０と前面キャビネット４１を固定する方法について説明する。図５は、スピーカ３０を固定した際の断面図である。このような状態にするために、以下の作業を行う。
まず、ゴム部材２０の係止部分２２を取り付け片４３の孔４４に挿通させるため、２２の先端を孔４４に前面キャビネット４１の内側から、前面キャビネット４１に向けて通す。その後係止部分２２の先端を前面キャビネット４１と取り付け片４３の間から引っ張る。するとゴムでできた係止部分２２全体が伸び、径が細くなることで、斜面の角度もゆるくなる。また、引っ張る力で斜面が孔４４に押し付けられ、さらに径が細くなりつつ徐々に穴４４に入り込んでいく。係止部材２２の径が最も大きい部分が、孔４４を通過すると、球状部分２１が孔４４の周縁に当接すると同時に、係止部分２２が復元力によって、本来の形状に戻る。そこで、係止部材２２を引っ張るのを止めると、係止部材２２が取り付け片４３の面に密着する。
【００２９】
その後、逆側の係止部分２２をスピーカ３０の孔３３に上述したのと同じように、スピーカ３０の前面キャビネット４１側から逆側へ挿通させる。このようにすると、球状部分２１がスピーカ３０の取り付け部分３２と取り付け片４３の間に挟まれることになる。
このように、非常に簡単にゴム部材２０でスピーカ３０と前面キャビネット４１を固定することができる。なお、この実施例では、係止部分２２を先に取り付け片４３の孔４４に挿通させたが、先にスピーカ３０の孔３３に挿通させた後、取り付け片４３の孔４４に挿通させてもよい。
【００３０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３１】
【図１】本発明の実施形態にかかるパネル型テレビジョン装置の外観図である。
【図２】本発明の実施形態にかかるパネル型テレビジョン装置の概略構成ブロック図である。
【図３】本発明の実施形態にかかるゴム部材の斜視図である。
【図４】本発明の実施形態にかかるスピーカの取り付け部分の斜視図である。
【図５】本発明の実施形態にかかるスピーカの取り付け部分の断面図である。
【符号の説明】
【００３２】
１１ａ…アンテナ、１１…チューナ、１２…映像音声処理部、１４…ディスプレイ、１５…マイコン、１６…電源回路、２０…ゴム部材、２１…球状部分、２２…係止部分、２３…連結部分、３０…スピーカ、３１…スピーカ本体部分、３２…取り付け部分、３３…孔、４０…キャビネット、４１…前面キャビネット、４２…後面キャビネット、４３…取り付け片、４４…孔、４５…スピーカ用の開口部、５０…脚部、１００…テレビジョン。
【図１】
2008258757.tif 000003
【図２】
2008258757.tif 000004
【図３】
2008258757.tif 000005
【図４】
2008258757.tif 000006
【図５】
2008258757.tif 000007